(57)【要約】【課題】電極の傾きを定量的に検出して、吊りロッドの切損による水漏れ、ブスチューブの切損によるスパークなど電極が傾くことによって生ずるトラブルを解消することができる電気抵抗炉用電極の傾きを検出する方法。【解決手段】電気抵抗炉に複数のワイヤを介して吊持される電極に対し、該電極を中間部において昇降かつ前後左右に傾動可能に支持する支点よりも炉内と反対側の上方で横方向に位置をずらして配置され、電極までの変位を計測する２個の変位センサーと、該センサーによって計測された変位と、上記支点から変位センサーによる計測点までの距離とから電極の傾きと、傾きの方向を算出する演算部と、該演算部によって算出された電極の傾きと方向を示す表示手段とからなる。【選択図】図５
2007255877.tif 000002
【特許請求の範囲】
【請求項１】
電気抵抗炉に複数のワイヤを介して吊持される電極に対し、該電極を中間部において昇降かつ前後左右に傾動可能に支持する支点よりも炉内と反対側の上方に変位センサーを横方向に位置をずらして複数配置し、各変位センサーから電極までの変位を計測して電極の傾きと、その方向を求めて表示手段に表示することを特徴とする電極の傾きを検出する方法。
【請求項２】
電気抵抗炉に複数のワイヤを介して吊持される電極に対し、該電極を中間部において昇降かつ前後左右に傾動可能に支持する支点よりも炉内と反対側の上方で横方向に位置をずらして配置され、電極までの変位を計測する複数の変位センサーと、該センサーによって計測された変位と、上記支点から変位センサーによる計測点までの距離とから電極の傾きと、傾きの方向を算出する演算部と、該演算部によって算出された電極の傾きと方向を示す表示手段とからなることを特徴とする電極の傾きを検出する装置。
【請求項３】
画像処理手段を設け、演算部で算出されたデータを画像処理して表示手段に電極の三次元画像を表示することを特徴とする請求項２記載の電極の傾きを検出する装置。
【請求項４】
しきい値を格納する記憶部と、演算部で演算された電極の傾きと、前記記憶手段に格納されたしきい値を比較する比較部と、警報ランプ、ブザー等の警報手段よりなり、演算部で演算された電極の傾きが記憶部に格納されたしきい値を超えたとき、比較部からの出力に基づいて警報手段が警報表示することを特徴とする請求項２記載の電極の傾きを検出する装置。
【請求項５】
適宜の角度で交差する方向のうち、少なくとも一方の方向から電極に当るガイドローラにロードセル等の荷重センサー又は圧力センサーを設け、該荷重センサー又は圧力センサーで電極から押付けられる押付力又は圧力を計測して電極が傾く方向の押付力又は圧力を求めることを特徴とする請求項１記載の電極の傾きを検出する方法。
【請求項６】
適宜の角度で交差する方向のうち、少なくとも一方の方向から電極に当てられるガイドローラと、該ガイドローラに押付けられる電極の押付力又は圧力を計測するロードセル等の荷重センサー又は圧力センサーを設け、該荷重センサー又は圧力センサーからの出力に基づいて表示手段に押付力又は圧力が表示されることを特徴とする請求項２又は３記載の電極の傾きを検出する装置。
【請求項７】
しきい値を格納する記憶部と、荷重センサーで検出した荷重又は圧力と記憶部に格納されたしきい値を比較する比較部と、警報ランプ、ブザー等の警報手段よりなり、荷重センサー又は圧力センサーで検出した荷重又は圧力が記憶部に格納されたしきい値を超えたとき比較部からの出力に基づいて警報手段が警報表示することを特徴とする請求項６記載の電極の傾きを検出する装置。
【発明の詳細な説明】
【技術分野】
【０００１】
本発明は、電気抵抗炉に用いる電極の傾き及び電極に外力が横方向から加わったときの外力を検出する方法及び装置に関する。
【背景技術】
【０００２】
電気抵抗炉には、３相交流電力を使用する場合、電極が３個配置されている。図１は、電気抵抗炉に用いる電極１の支持装置について示すもので、二本のワイヤ２によって吊持される保持装置３に電極１を弛緩可能にクランプする電極ホルダー４が三本の吊りロッド５によって連結され、ワイヤ２をウインチにより巻取り、或いは巻戻すことにより保持装置３及び電極ホルダー装置４が電極１と共に昇降するようになっている。
【０００３】
吊りロッド５には冷却管が通され、これより電極ホルダー４を通って循環する冷却水で電極ホルダー４の冷却が行われるようになっており、電極ホルダー４には図示していないが、電気配線を通したブスチューブが連結されている。
【０００４】
電極１は円筒状の電極ケース１ａと、電極ケース１ａに充填される炭素質のペースト状電極材からなり、この電極材は電極ホルダー４に供給される電流のジュール熱と炉内からの熱により焼成され、硬化かつ強化されるようになっている。図中、１ｂは硬化部分を示す。
【０００５】
電極１はまた、吊りロッド５と共に耐熱材で構成されるフロア６の貫通孔７、８に遊びを持たせて嵌挿されている。そしてフロア６上で周方向に等間隔で設けた３個のガイドローラ９により昇降可能に三点支持され、上記遊びの範囲内でガイドローラ９を支点として前後左右に傾動しうるようになっている。図中、１１は保持装置３上方において電極１に側方より当てられ、電極１を支持するガイドローラで、該ガイドローラは３個の各電極１に対し、図２に示すように配置されている。
【発明の開示】
【発明が解決しようとする課題】
【０００６】
図１に示す電極１は、保持装置３を吊持する二本のワイヤ２のうち、一方が他方に対し緩み或いは引張られることによりガイドローラ９を支点として傾き、この傾きは、原料の吹上げ防止や電極長測定のため、電極を昇降操作する際に生じ易い。
【０００７】
こうした電極の傾きは、大きいと目視による判断ができるが、小さければ傾きを認識することができず、小さな傾きでもこれと共に傾く吊ロッド５がフロア６の貫通孔７の孔縁に当ってスパークを生じ、これにより水漏れを起したり、ブスチューブが本来接触してはならない箇所に接触して切損し、電気配線がスパークするなどの事故を発生させることがある。
【０００８】
電極はまた、電気抵抗炉内に降下させ、或いは繰出したとき、先端が図３に示すように電気抵抗炉１３内に残る硬い溶け残り原料１４に当って図の矢印方向に押出されようとする外力を受けて傾くことがある。電極１の傾きにより上述する問題が生ずるほか、電極１下端部に横方向からの外力が加わると、焼成が進んでいない強度の弱い箇所との境目で電極が折損して、その下の部分が抜け落ちることがあり、抜け落ちると、その上の焼成していない電極が最悪の場合には電極ケース１ａから流れ出る、いわゆる中抜けと証される事故を生ずることがある。こうした問題は、図４に示すように開放型の電気抵抗炉１３において、原料投入シュート１５より炉内に投入された原料１６が山盛りになったとき、熊手状の均し器１７で原料均しを行う場合にも同様に生ずる。すなわち均し器１７で原料１６を押込んで均す際、電極１に横方向の力が加わりがちである。
【０００９】
本発明は、電極の傾きを定量的に検出して、吊りロッドの切損による水漏れ、ブスチューブの切損によるスパークなど電極が傾くことによって生ずるトラブルを解消することを第１の目的とし、電極先端部に横方向からの外力が加わったときの外力を検出して電極の折損によるトラブルを解消することを第２の目的とする。
【課題を解決するための手段】
【００１０】
請求項１に係わる発明は、第１の目的を達成する方法に関するもので、電気抵抗炉に複数のワイヤを介して吊持される電極に対し、該電極を中間部において昇降かつ前後左右に傾動可能に支持する支点よりも炉内と反対側の上方に変位センサーを横方向に位置をずらして複数、好ましくは２個配置し、各変位センサーから電極までの変位を計測して電極の傾きと、その方向を求めて表示手段に表示することを特徴とする。
【００１１】
本発明で用いる表示手段は、以下の発明においても同様であるが、ＣＲＴ、液晶等のディスプレイからなるものである。
【００１２】
本発明において用いられる変位センサーは、電極までの距離を計測するセンサーで、好ましくは超音波センサー、レーザセンサーなどの非接触型センサーである。このセンサーは後述の荷重センサー又は圧力センサーもそうであるが、好ましくはエアパージ等の粉塵対策及び絶縁対策が取られ、絶縁対策としては例えば床、架台等に固定するのに絶縁ゴムシートを介して固定され、信号ケーブルにも絶縁のため被覆される。
【００１３】
変位センサーは上述するように複数配置されるが、２個配置する場合、各センサーは例えば平行又は直交して配置される。平行に配置する場合の電極の傾きと、その方向は次のようにして求めることができる。図５において、電極１が傾いていない実線位置の状態で、変位センサーＡ及びＢがそれぞれ電極１までの変位を求め、計測点ａ及びｂでの座標（ｘ１、ｙ１）（ｘ２、ｙ２）を求める。ここでｙ１−ｙ２は両変位センサーＡ、Ｂ間の距離である。ａ、ｂ点での座標が求められると、ａ及びｂ点から電極１の半径Ｒの交点である電極中心Ｏの座標（ｘ、ｙ）が求められる。電極１が傾いて一点鎖線位置になったとする。このときの計測点ｃ及びｄの座標は変位センサーＡ及びＢによる計測により同様にして（ｘ３、ｙ１）（ｘ４、ｙ２）として求められ、電極中心Ｏ´の座標（ｘ´、ｙ´）が求められる。そして予め求めておいた上記支点における電極中心Ｏ0の座標（ｘ0、ｙ0）とＯ´の座標（ｘ´、ｙ´）から電極１の傾きと、傾きの方向が求められる。すなわちＯ０Ｏ間の長さはｘ＝ｘ０であるからｙ−ｙ０であり、ＯＯ´間の長さδは、下記数１式より求められ、電極の傾きθは下記数２式から求められる。
【００１４】
【数１】
2007255877.tif 000003
【００１５】
【数２】
2007255877.tif 000004
【００１６】
また電極の傾きの方向である図５に示す角γは、下記数３式より求められる。
【００１７】
【数３】
2007255877.tif 000005
請求項２に係わる発明は、第１の目的を達成する装置に関するもので、電気抵抗炉に複数のワイヤを介して吊持される電極に対し、該電極を中間部において昇降かつ前後左右に傾動可能に支持する支点よりも炉内と反対側の上方で横方向に位置をずらして配置され、電極までの変位を計測する複数、好ましくは２個の変位センサーと、該センサーによって計測された変位と、上記支点から変位センサーによる計測点までの距離とから電極の傾きと、傾きの方向を算出する演算部と、該演算部によって算出された電極の傾きと方向を示す表示手段とからなることを特徴とする。
【００１８】
本発明の演算部は、パソコンにより構成され、図５に例示される方法の場合、電極中心Ｏ´の座標、電極１の傾きと、その方向を算出する。
【００１９】
請求項３に係わる発明は、請求項２に係わる発明に画像処理手段を設け、演算部で算出されたデータを画像処理してディスプレイに電極の三次元画像を表示することを特徴とする。
【００２０】
請求項４に係わる発明は、請求項２に係わる発明において、しきい値を格納する記憶部と、演算部で演算された電極の傾きと、前記記憶手段に格納されたしきい値を比較する比較部と、警報ランプ、ブザー等の警報手段よりなり、演算部で演算された電極の傾きが記憶部に格納されたしきい値を超えたとき、比較部からの出力に基づいて警報手段が警報表示することを特徴とする。
【００２１】
請求項５に係わる発明は、第２の目的を達成する方法に関するもので、請求項１に係わる発明において、適宜の角度で交差する方向のうち、少なくとも一方の方向から電極に当るガイドローラにロードセル等の荷重センサー又は圧力センサーを設け、該荷重センサー又は圧力センサーで電極から押付けられる押付力又は圧力を計測して電極が傾く方向の押付力又は圧力を求めることを特徴とする。
【００２２】
請求項６に係わる発明は、第２の目的を達成する装置に関するもので、請求項２又は３に係わる発明において、適宜の角度で交差する方向のうち、少なくとも一方の方向から電極に当てられるガイドローラと、該ガイドローラに押付けられる電極の押付力又は圧力を計測するロードセル等の荷重センサー又は圧力センサーを設け、該荷重センサー又は圧力センサーからの出力に基づいて表示手段に押付力又は圧力が表示されることを特徴とする。
【００２３】
請求項７に係わる発明は、請求項６に係わる発明において、しきい値を格納する記憶部と、荷重センサーで検出した荷重又は圧力と記憶部に格納されたしきい値を比較する比較部と、警報ランプ、ブザー等の警報手段よりなり、荷重センサー又は圧力センサーで検出した荷重又は圧力が記憶部に格納されたしきい値を超えたとき比較部からの出力に基づいて警報手段が警報表示することを特徴とする。
【発明の効果】
【００２４】
請求項１及び２に係わる発明によると、電極の傾きやその方向を表示手段から定量的に把握することができ、傾きの程度によって、例えばワイヤ操作をしたり、図６に示すように炉内に原料を投入する原料投入シュート１５の位置や向き及び投入される原料の量を変え、或いは電極の昇降をガイドするガイドローラの水平方向の位置調整により傾き調整を行い、もって吊りロッドの切損による水漏れ、耐熱チューブの切損によるスパークなどのトラブルを未然に防ぐことができる。
【００２５】
請求項３に係わる発明によると、表示手段に電極が三次元表示されることにより、電極の傾きやその方向の確認をより一層容易に行い、傾き調整をより容易に行うことができる。
【００２６】
請求項４に係わる発明によると、電極が一定量以上傾いたとき、警報手段から警報されることにより電極が傾くことによって生ずる上述のトラブルをより確実に防ぐことができる。
【００２７】
請求項５及び６に係わる発明によると、電極の傾き及びその方向と共に、電極から受ける荷重又は圧力により、電極先端部に横方向から加わる外力を把握することができ、外力の程度を見ながらワイヤ操作により電極を昇降或いは傾斜させたり、原料投入の向き及びその量を変え、或いは電極を昇降するガイドローラの水平方向の位置調整をすることで電極に加わる外力を軽減させ、これにより電極の折損によるトラブルを防ぐことができる。
【００２８】
請求項７に係わる発明によると、電極に一定量以上の外力が加わったとき、警報手段から警報されることにより電極の折損によるトラブルをより確実に防ぐことができる。
【発明を実施するための最良の形態】
【００２９】
以下、本発明の実施形態について図面により説明する。
本発明が適用される電極の支持装置は、図１に示す電極１の支持装置において、ガイドローラ１１に荷重センサーであるロードセルを設けて電極１がガイドローラ１１に押付けられるときの押付力を計測し、またロードセルと同じ水平面上に変位センサーであるレーザセンサーを２個、図５に示す変位センサーＡ、Ｂのように配置して電極１までの距離を計測するようにしている。
【００３０】
図７は、電極１の傾きと電極１に加わる外力を検出する装置について示すもので、記憶部２１には、ガイドローラ９による支点での電極中心Ｏ０の座標（ｘ０、ｙ０）と、電極１が傾いていない状態でのレーザセンサーと同レベルにおける電極中心Ｏの座標（ｘ、ｙ）が予め求めておいて格納されると共に、前述の数１〜数３式が格納され、また電極１の傾きと、電極１がガイドロール１１を押付けるときの押付力に関するしきい値が格納されている。
【００３１】
演算部２２は、レーザセンサー２３により計測された電極１までの距離から、電極中心Ｏ´の座標（ｘ´、ｙ´）を演算し、ついで記憶部２１に格納された電極中心Ｏの座標ｘ、ｙを読み出して数１式によりδを演算する。次に記憶部２１から読み出した電極中心Ｏ０の座標（ｘ０、ｙ０）と電極中心Ｏの座標（ｘ、ｙ）からｙ−ｙ０を求め、数２式から電極１の傾きθを演算する。そして数３式から電極１の傾きの方向γを演算する。
【００３２】
画像処理部２４は、電極中心Ｏ０の座標（ｘ０、ｙ０）と電極の傾きθ及び傾きの方向γから三次元画像を求め、制御部２５に出力する。
【００３３】
比較部２６は、演算部２２で演算された電極１の傾きθと記憶部２１から読み出したしきい値及びロードセル２７により計測された電極１のガイドローラ１１への押付力と記憶部２１から読み出したしきい値を比較し、それぞれしきい値を超えたとき制御部２５に出力するようになっている。
【００３４】
制御部２５は、記憶部２１、演算部２２、画像処理部２４、比較部２６を制御し、演算部２２で演算された電極の傾きθ及び傾きの方向γを液晶ディスプレイよりなるモニター２８に表示すると共に、画像処理部２４からのデータ出力により電極１を三次元表示するようになっており、また比較部２６からの出力により警報手段であるブザー２９に出力して警報音を発生させるようになっている。そしてこれら制御部２５、記憶部２１、演算部２２、画像処理部２４及び比較部２６はパソコンを構成されている。
【００３５】
本実施形態によると、年に数回発生していた電極の折損事故が年に１回以下に抑えることができた。
【図面の簡単な説明】
【００３６】
【図１】吊持された電極の概略正面図。
【図２】電極とガイドローラの配置図。
【図３】電極が溶け残り原料に接触した状態を示す図。
【図４】電気抵抗炉内の原料を均すときの状態を示す図。
【図５】電極の変位を求める線図。
【図６】原料投入の態様を示す図。
【図７】本発明に係わるブロック図。
【符号の説明】
【００３７】
１・・電極
２・・ワイヤ
３・・保持装置
４・・電極ホルダー装置
５・・吊りロッド
６・・フロア
７、８・・貫通孔
９、１１・・ガイドローラ
１３・・電気抵抗炉
１４・・溶け残り原料
１５・・原料投入シュート
１６・・原料
１７・・均し器
２１・・記憶部
２２・・演算部
２３・・レーザセンサー
２４・・画像処理部
２５・・制御部
２６・・比較部
２７・・ロードセル
２８・・モニター
２９・・ブザー
【図１】
2007255877.tif 000006
【図２】
2007255877.tif 000007
【図３】
2007255877.tif 000008
【図４】
2007255877.tif 000009
【図５】
2007255877.tif 000010
【図６】
2007255877.tif 000011
【図７】
2007255877.tif 000012